(57)【要約】【課題】弓形係止片を外方からの押圧する押圧ボルトが、仮留搬送時、あるいは弓形係止片を離脱防止のために組付けセット後において、外部部材と当接してネジ部が破損したり調整ネジ位置が狂ってしまう恐れのない流体管の離脱防止装置を提供すること。【解決手段】仮留搬送時や離脱防止組付けセット時に、環状ホルダ４または受入口端部１の外方より管軸中心方向に進退可能な六角穴付き止めねじ１０の頭部が環状ホルダ４または受入口端部１の外表面より突出しないようにして各弓形係止片６を押圧しているので、この六角穴付き止めねじ１０の頭部が外部部材と当接してネジ部が破損したり調整ネジ位置が狂ってしまうことはない。【選択図】  図１
2004251322.tif 000002
【特許請求の範囲】
【請求項１】
一方の流体管の受入口端部に他方の流体管の挿入口端部を挿入し、前記挿入口端部に取付けられた環状ホルダの内周面、または受入口端部の内周面に複数の隔壁によって複数の弧状凹部が画成され、各弧状凹部には前記隔壁によって周方向に移動拘束された弓形係止片が各々収容配置され、前記弓形係止片は外方からの押圧力によりその内周端縁に形成されている係止爪で挿入口端部外周を押圧係止して前記両流体管を水密に接続する流体管の離脱防止装置であって、前記各弓形係止片は環状ホルダまたは受入口端部の外方より管軸中心方向に進退可能な押圧ボルトにより押圧され、該押圧ボルトの頭部が環状ホルダまたは受入口端部の外表面より突出しないことを特徴とする流体管の離脱防止装置。
【請求項２】
前記押圧ボルトはすりわり付き止めねじまたは六角穴付き止めねじである請求項１に記載の流体管の離脱防止装置。
【請求項３】
前記押圧ボルトの頭部側は環状ホルダまたは受入口端部に着脱自在に係止したキャップにより覆われている請求項１または２に記載の流体管の離脱防止装置。
【発明の詳細な説明】
【０００１】
【発明の属する技術分野】
本発明は、水道管、ガス管、プラント用配管などの流体管の受入口端部に挿入口端部を挿入し、シール部材を介して前記両流体管を水密に接続する流体管の離脱防止装置関する。
【０００２】
【従来の技術】
この種の流体管の離脱防止装置としては、例えば特許文献１や特許文献２の従来例に記載されたものが知られている。図６はこれら文献に示されている流体管の受入口端部と挿入口端部を接合した従来の離脱防止装置を示す断面図である。
【０００３】
図６に示す離脱防止装置０１は、一方の流体管０２の受入口端部０２ａ内部に他方の流体管０３の挿入口端部０３ａが挿入され、他方の流体管０３の挿入口端部０３ａには環状ホルダ０４が外嵌し、この環状ホルダ０４と受入口端部０２ａとはボルト０５とナット０６により連結固定されて、両流体管０１，０２はシール部材０７を介して水密に接続している。
【０００４】
環状ホルダ０４の内周面には、複数の隔壁をもって円周方向に区画形成された内周溝が形成され、これら内周溝にそれぞれ弓形係止片０８が収納されている。また、環状ホルダ０４の外周面の複数箇所に穿設されたねじ孔０９は、管軸中心方向を向くように形成されており、これらねじ孔０９に押圧ボルト０１０を螺入し、円周方向外周から押圧ボルト０１０の先端で弓形係止片０８を外方から管軸中心方向に向けて押圧するように構成されている。
【０００５】
そして、この弓形係止片０８は、実質的には皿ばね状断面を有し、全体的に弾性に富む特性を有した外周面０８ａは円弧状に、内方面は食い込み刃０８ｂが形成され、各弓形係止片０８が外周を押圧ボルト０１０により押圧されると、挿入口端部０３ａの外周に食い込み刃０８ｂが食い込んで係合する。
【０００６】
そこで、相互に接続された流体管０２，０３において、流体管０３の挿入口端部０３ａが流体管０２の受入口端部０２ａから離れる方向ａに変位するとき、弓形係止片０８はその外周面０８ａと押圧ボルト０９との接点を中心とする皿ばね作用により、捻れ方向（ｂ方向）に揺動することで、その先端の食い込み刃０８ｂは、挿入口端部０３の外周面の円周方向に深く食い込み、流体管０３の流体管０２からの離脱が阻止される。
【０００７】
【特許文献１】
特公平３−１３４７０号公報（図３）
【特許文献２】
特開２００１−２００９６５号公報（図１０）
【０００８】
【発明が解決しようとする課題】
ところが、上述した従来の離脱防止装置０１に用いられている押圧ボルト０１０はボルトの進退のために六角ナット形状頭部０１０ａが環状ホルダ０４の外表面より突出しており、例えば、流体管０３に環状ホルダ０４を仮留めして搬送する際に、押圧ボルト０１０の六角ナット形状頭部０１０ａが出っ張っているために外部部材に衝突してネジ部が変形したり、六角ナット形状頭部０１０ａが破壊したりすることがあり、また離脱防止セット後においても、六角ナット形状頭部０１０ａが外部部材に触れて調整ネジ位置が狂ってしまうことがあった。
【０００９】
本発明は、上記課題に鑑みてなされたもので、弓形係止片を外方からの押圧する押圧ボルトが、仮留搬送時、あるいは弓形係止片を離脱防止のために組付けセット後において、外部部材と当接してネジ部が破損したり調整ネジ位置が狂ってしまう恐れのない流体管の離脱防止装置を提供することを目的をしている。
【００１０】
【課題を解決するための手段】
上記目的を達成するために、本発明の流体管の離脱防止装置は、一方の流体管の受入口端部に他方の流体管の挿入口端部を挿入し、前記挿入口端部に取付けられた環状ホルダの内周面、または受入口端部の内周面に複数の隔壁によって複数の弧状凹部が画成され、各弧状凹部には前記隔壁によって周方向に移動拘束された弓形係止片が各々収容配置され、前記弓形係止片は外方からの押圧力によりその内周端縁に形成されている係止爪で挿入口端部外周を押圧係止して前記両流体管を水密に接続する流体管の離脱防止装置であって、前記各弓形係止片は環状ホルダまたは受入口端部の外方より管軸中心方向に進退可能な押圧ボルトにより押圧され、該押圧ボルトの頭部が環状ホルダまたは受入口端部の外表面より突出しないことを特徴としている。
この特徴によれば、押圧ボルトの頭部が環状ホルダまたは受入口端部の外表面より突出していないので、押圧ボルトが外部部材と当接してネジ部が破損したり調整ネジ位置が狂ってしまうことはない。
【００１１】
上記離脱防止装置において、前記押圧ボルトはすりわり付き止めねじまたは六角穴付き止めねじであることが好ましい。
このようにすると、すりわり付きもしくは六角穴付き止めねじを用いれば、簡単な工具で容易にネジ位置を調整することができる。
【００１２】
上記離脱防止装置において、前記押圧ボルトの頭部側は環状ホルダまたは受入口端部に着脱自在に係止したキャップにより覆われていることが好ましい。
このようにすると、キャップを付けることにより、水や泥等がネジ部に侵入することが防げ、防錆効果がある。
【００１３】
以下、本発明の実施形態を図面に基づいて説明する。
【００１４】
図１は、本発明の一実施形態に係り、相互の流体管の受入口端部と挿入口端部を本発明の押圧ボルトを使用して水密に接合した離脱防止装置の部分断面図、図２の（ａ）はすりわり付き止めねじの斜視図、（ｂ）は六角穴付き止めねじの斜視図、図３は相互の流体管を水密に接続する離脱防止装置の半断面図であって、図１のＯ−Ａ断面図、図４は相互の流体管を水密に接続する離脱防止装置の半断面図であって、図１のＯ−Ｂ断面図、図５の（ａ）は弧状凹部内に収容された弓形係止片の外方に押圧力を作用する前の状態を示し、（ｂ）は外方に押圧力を作用させて弓形係止片内周端縁の係止爪で流体管の挿入口端部外周を押圧係止した状態を示す説明図である。
【００１５】
図１、図３及び図４に示す符号１、２は、互いに接続される流体管であって、流体管１に形成したフランジ状の受入口端部１ａ内に流体管２の挿入口端部２ａが挿入され、受入口端部１ａには円周方向に等間隔に流体管と平行なボルト挿通孔１ｂ（図４参照）が形成されており、開口端縁の内周に形成されるパッキン収容凹部１ｃには挿入口端部２ａ外周面を水密にシールするパッキン３が嵌入されている。
【００１６】
図４において、４は挿入口端部２ａに嵌挿される環状ホルダであって、この環状ホルダ４の円周上には、受入口端部１ａのボルト挿通孔１ｂに対応して６箇所にボルト挿通孔４ａが形成されると共に、環状ホルダ４外周の各ボルト挿通孔４ａの間には後述する押圧ボルト１０が螺入するねじ孔８を形成した角形の座部４ｂが６箇所に均等に突設され、更に、環状ホルダ４の前面にはパッキン３を押圧する環状の突出部４ｃが形成されている。
【００１７】
図１に示すように、環状ホルダ４の内周面に形成される環状溝内には、複数の隔壁５ａ、５ａ…（本実施形態では６つ）が円周方向に配設され、これら隔壁５ａ、５ａ…によって複数の弧状凹部５が画成されている。また、環状ホルダ４に形成したねじ孔８は、各弧状凹部５の略中央に連通して管軸中心方向に向けて穿設されている。
【００１８】
図１及び図３、図４に示すように、環状ホルダ４の各弧状凹部５には、内周端縁が鋭角に突設する断面山形の係止爪６ａを備えた円弧状の弓形係止片６が収容されており、これら弓形係止片６は、ダクタイル鋳鉄、スチール製の金属製のものが採用されている。
【００１９】
弓形係止片６は断面が方形であって、図５に示すように、係止爪６ａの両端は、両側の隔壁５ａ、５ａの先端空間部に臨むように円周方向に延設され、そして弓形係止片６の両端部には中心に向けて開口する先細溝６ｂが形成されている。
【００２０】
詳しくは、この弓形係止片６は、図５（ａ）に示すように、内周端縁に形成された断面山形の係止爪６ａの曲率半径ｒに対し、挿入口端部２ａ外周の曲率半径Ｒが若干大径に形成されている。
【００２１】
従って、弓形係止片６の係止爪６ａを、挿入口端部２ａ外周の円周方向に取付けた状態では、係止爪６ａの両端６ａ’，６ａ’のみが一部接触した状態となり、係止爪６ａの中間部は挿入口端部２ａ外周との間で若干の隙間が形成された状態となっている。
【００２２】
図１に示す符号１５は弾性片であって、この弾性片１５は、例えばゴム製の素材で先細の砲弾形であってテーパ状に形成され、弓形係止片６の両端に形成される先細溝６ｂ、６ｂ（図５参照）と隔壁５ａ，５ａの内壁ないし弧状凹部５の内壁で囲まれる空間に内方の開口側から弾性片１５を圧入することで、弓形係止片６はその両側が弾力的に押圧されて弧状凹部５内に拘束保持されるようになっている。
【００２３】
ここで、弓形係止片の外周中央を外方から押圧する押圧ボルトに付き図２の（ａ）、（ｂ）を参照して説明する。
【００２４】
図２の（ａ）に示す符号９は、押圧ボルトとして頭部にすりわりが形成されたすりわり付き止めねじであって、図２の（ｂ）に示す符号１０は頭部に六角穴が形成された六角穴付き止めねじであり、これらは何れも日本工業規格（ＪＩＳ規格）ＪＩＳＢ１１１７に規定されている。本発明の実施形態では、六角穴付き止めねじ１０を使用した例に付き説明している。
【００２５】
次に、本発明の離脱防止装置の組付け手順に付き以下説明する。
【００２６】
図５の（ａ）に示すように、予め、環状ホルダ４の複数の弧状凹部５内に弓形係止片６をそれそれ収容し、この環状ホルダ４を一方の流体管２の挿入口端部２ａ外周に挿通保持した状態で、この挿入口端部２ａを他方の受入口端部１ａの開口側から定位置まで挿入する。
【００２７】
次いで、図４に示すように、受入口端部１ａのボルト挿通孔１ｂより挿通した連結ボルト１２の先端を環状ホルダ４のボルト挿通孔４ａに挿通し、ナット１４を締め込こんで環状ホルダ４を受入口端部１ａに強く引き寄せることで、環状の突出部４ｃにより受入口端部１ａの開口端縁内周に形成されるパッキン収容凹部１ｃに嵌入されたパッキン３を外部から圧縮する。
【００２８】
パッキン３の圧縮が終了したところで、六角穴付き止めねじ１０を六角レンチを使用して締め込み、弓形係止片６の外周中央を所定の押圧力で押圧することで、図５の（ａ）に示すように、係止爪６ａの両端６ａ’，６ａ’を挿入口端部２ａの外周に対し接触しているか、ほんの僅かの量ｄだけ食い込ませた状態にある弓形係止片６の取付状態より、押圧ボルト１０を更に強く締め込むことで、弓形係止片６の中央部が押圧されて挿入口端部２ａ外周との間で形成されている隙間が縮小変形し、図５（ｂ）に示すように係止爪６ａの全域を挿入口端部２ａの外周に沿ってほぼ均一の深さＸで食い込ませ、離脱防止状態がセットされる。
【００２９】
そこで、図３及び図４に示すように、互いに連結されている流体管１，２に外力が作用して、挿入口端部２ａが受入口端部１ａから離れる方向（ａ方向）に変位しようとする場合、弓形係止片６は、外周面６ｃと押圧ボルト１０との接点を中心とする皿ばね作用により時計回りの回動力が生じて、係止爪６ａが挿入口端部２ａ外周面上においてその円周方向に均等に食い込むことになり、両流体管１，２の離脱は確実に阻止されることになる。
【００３０】
次に、六角穴付き止めねじ１０を使用して全ての弓形係止片６の中央部が押圧されて、六角穴付き止めねじ１０の頭部が、ねじ孔８開口端部内に没入して座部４ｂの上面以下に位置した状態となり、全ての角形の座部４ｂの上面に、例えば合成樹脂などで開口周縁にフランジを形成したキャップＣＰが装着されると、離脱防止装置の組付け作業が完了する。
【００３１】
上記したように、本発明の流体管の離脱防止装置によれば、各弓形係止片６が、環状ホルダ４または受入口端部１ａの外方より管軸中心方向に進退可能な六角穴付き止めねじ１０により、その外周中央を押圧する際には、この六角穴付き止めねじ１０の頭部が環状ホルダ４または受入口端部１ａの外表面より突出しないようになっているので、この六角穴付き止めねじ１０が外部部材と当接してネジ部が破損したり調整ネジ位置が狂ってしまうことはない。
【００３２】
また、上記止めねじが、六角穴付き止めねじ１０、またはすりわり付き止めねじ９で構成されているので、六角レンチまたはマイナスドライバ等の簡単な工具を使用することで容易にネジ位置を調整することができる。
【００３３】
更に、六角穴付き止めねじ１０の頭部側は、環状ホルダ４または受入口端部１ａに着脱自在に係止したキャップＣＰにより覆われているので、水や泥等がネジ部に侵入することが防げる。
【００３４】
以上、本発明の実施形態を図面により説明してきたが、具体的な構成はこれら説明してきたものに限られるものではなく、例えば、弧状凹部５は環状ホルダ４の内周面に形成するようにしているが、環状ホルダ４を用いることなく直接受入口端部１ａの内周面に形成するようにしてもよい。
【００３５】
【発明の効果】
本発明によれば、次のような効果を奏することができる。
【００３６】
（ａ）請求項１記載の発明によれば、押圧ボルトの頭部が環状ホルダまたは受入口端部の外表面より突出していないので、押圧ボルトが外部部材と当接してネジ部が破損したり調整ネジ位置が狂ってしまうことはない。
【００３７】
（ｂ）請求項２記載の発明によれば、すりわり付きもしくは六角穴付き止めねじを用いれば、簡単な工具で容易にネジ位置を調整することができる。
【００３８】
（ｃ）請求項３記載の発明によれば、キャップを付けることにより、水や泥等がネジ部に侵入することが防げ、防錆効果がある。
【図面の簡単な説明】
【図１】本発明の一実施形態に係り、相互の流体管の受入口端部と挿入口端部を本発明の押圧ボルトを使用して水密に接合した離脱防止装置の部分断面図である。
【図２】（ａ）はすりわり付き止めねじの斜視図、（ｂ）は六角穴付き止めねじの斜視図である。
【図３】相互の流体管を水密に接続する離脱防止装置の半断面図であって、図１のＯ−Ａ断面図である。
【図４】相互の流体管を水密に接続する離脱防止装置の半断面図であって、図１のＯ−Ｂ断面図である。
【図５】（ａ）は弧状凹部内に収容された弓形係止片の外方に押圧力を作用する前の状態を示し、（ｂ）は外方に押圧力を作用させて弓形係止片内周端縁の係止爪で流体管の挿入口端部外周を押圧係止した状態を示す説明図である。
【図６】相互の流体管を水密に接続する従来の離脱防止の断面図である。
【符号の説明】
１                流体管
１ａ              受入口端部
１ｂ              ボルト挿通孔
１ｃ              パッキン収容凹部
２                流体管
２ａ              挿入口端部
３                パッキン
４                環状ホルダ
４ａ              ボルト挿通孔
４ｂ              座部
４ｃ              突出部
５                弧状凹部
５ａ              隔壁
６                弓形係止片
６ａ              係止爪
６ａ’            係止爪の両端
６ｂ              先細溝
６ｃ              外周面
８                ねじ孔
９                押圧ボルト（すりわり付き止めねじ）
１０              押圧ボルト（六角穴付き止めねじ）
１２              連結ボルト
１４              ナット
１５              弾性片
ＣＰ              キャップ
ｒ，Ｒ            曲率半径
【図１】
2004251322.tif 000003
【図２】
2004251322.tif 000004
【図３】
2004251322.tif 000005
【図４】
2004251322.tif 000006
【図５】
2004251322.tif 000007
【図６】
2004251322.tif 000008